(57)【要約】【課題】表示部材からノイズが生じる場合でも、簡易な手法によりアンテナ構造体がノイズの影響を受けずに電波を受信することができる電波受信装置を提供する。【解決手段】第１の表示領域１５ａと第２の表示領域１５ｂとを有する液晶表示パネル１５のうち、第１の表示領域１５ａの下部位置にアンテナ構造体３０を対向配置し、アンテナ構造体３０による電波の受信時に、第１の表示領域１５ａの表示駆動を停止させるように液晶表示パネル１５の表示駆動を制御するＣＰＵ２０１及び第１の表示駆動回路部２０７を備えている。【選択図】図４
2009145210.tif 000002
【特許請求の範囲】
【請求項１】
第１の表示領域と第２の表示領域とを有する表示部材と、
コイルを巻回した巻線部を備え、前記表示部材の第１の表示領域の下部位置に対向配置されたアンテナ構造体と、
前記アンテナ構造体による電波の受信時に、第１の表示領域の表示駆動を停止させるように前記表示部材の表示駆動を制御する表示制御部と、
を備えていることを特徴とする電波受信装置。
【請求項２】
前記表示制御部は、前記アンテナ構造体による電波の受信時には、前記第１の表示領域及び前記第２の表示領域の双方の表示駆動を停止させるように前記表示部材の表示駆動を制御することを特徴とする請求項１に記載の電波受信装置。
【請求項３】
前記アンテナ構造体は、前記表示部材の表示可能領域内に配置されていることを特徴とする請求項１又は請求項２に記載の電波受信装置。
【請求項４】
一部に貫通孔又は切り欠き部が形成された回路基板をさらに備え、
この貫通孔又は切り欠き部に前記アンテナ構造体が収納配置されていることを特徴とする請求項１から請求項３のいずれか一項に記載の電波受信装置。
【請求項５】
前記回路基板と前記表示部材との間にスペーサが配置されていることを特徴とする請求項４に記載の電波受信装置。
【発明の詳細な説明】
【技術分野】
【０００１】
本発明は、電波受信装置に関する。
【背景技術】
【０００２】
従来、時刻情報を含む標準電波を受信して自動的に現在時刻を修正する電波時計等の電子機器が知られている。そして、例えば電波時計において標準電波を受信するアンテナとしては、受信感度のよい磁性材料であるアモルファス金属やフェライト等からなるコアにコイルが巻回されてなるアンテナ構造体が多く用いられている。
【０００３】
このようなアンテナ構造体は、外部からの電気的なノイズを受けると、正常に電波を受信することができない。この点、表示部材として液晶表示パネル等、電気的に駆動させることによって表示を行うものを備える場合には、表示部材が表示駆動している際にノイズが発生するため、液晶表示パネルの下にアンテナ構造体を配置すると、正常な電波受信が困難となる。
【０００４】
そこで、従来、他の電子部品等の影響によりノイズが生じている可能性があるときは所定の時間、アンテナを短絡させて、受信信号のエネルギーを放散させ、電波受信にノイズによる影響が生じるのを防止する技術が開発されている（例えば、特許文献１参照）。
【特許文献１】特開２００５−７３２２３号公報
【発明の開示】
【発明が解決しようとする課題】
【０００５】
しかしながら、特許文献１に記載されている技術では、ノイズによる影響を防止するために複雑な信号処理が必要となる。
【０００６】
また、アンテナ構造体による電波受信時には、表示部材の表示駆動を全面的に停止させることにより、ノイズの発生を防ぐ手法も考えられる。しかし、このように表示部材の表示駆動を全面的に停止させると、電波を受信している間は、時間等を確認することができなくなり、ユーザにとって不便である。
【０００７】
他方で、表示部材として液晶表示パネル等を備える場合には、できるだけ表示領域を広く確保したいとの要請があり、アンテナ構造体を表示部材から出るノイズの影響を受けない位置に配置しようとすると、装置全体が大型化してしまうとの問題がある。
【０００８】
そこで、本発明は、上記課題を解決するために為されたものであり、表示部材からノイズが生じる場合でも、簡易な手法によりアンテナ構造体がノイズの影響を受けずに電波を受信することができる電波受信装置を提供することを目的としている。
【課題を解決するための手段】
【０００９】
このような問題を解決するため、請求項１に記載の発明は、
第１の表示領域と第２の表示領域とを有する表示部材と、
コイルを巻回した巻線部を備え、前記表示部材の第１の表示領域の下部位置に対向配置されたアンテナ構造体と、
前記アンテナ構造体による電波の受信時に、第１の表示領域の表示駆動を停止させるように前記表示部材の表示駆動を制御する表示制御部と、を備えていることを特徴としている。
【００１０】
請求項２に記載の発明は、請求項１に記載の電波受信装置において、
前記表示制御部は、前記アンテナ構造体による電波の受信時には、前記第１の表示領域及び前記第２の表示領域の双方の表示駆動を停止させるように前記表示部材の表示駆動を制御することを特徴としている。
【００１１】
請求項３に記載の発明は、請求項１又は請求項２に記載の電波受信装置において、
前記アンテナ構造体は、前記表示部材の表示可能領域内に配置されていることを特徴としている。
【００１２】
請求項４に記載の発明は、請求項１から請求項３のいずれか一項に記載の電波受信装置において、
一部に貫通孔又は切り欠き部が形成された回路基板をさらに備え、
この貫通孔又は切り欠き部に前記アンテナ構造体が収納配置されていることを特徴としている。
【００１３】
請求項５に記載の発明は、請求項４に記載の電波受信装置において、
前記回路基板と前記表示部材との間にスペーサが配置されていることを特徴としている。
【発明の効果】
【００１４】
本発明によれば、表示部材の表示領域が、第１の表示領域と第２の表示領域の２つに分割されており、アンテナ構造体が対向配置されている第１の表示領域については、アンテナ構造体による電波の受信時に表示駆動を停止させるので、表示部材の駆動によって生じるノイズの影響を受けずに電波受信を行うことができる。
また、アンテナ構造体に影響を及ぼさない表示領域については電波受信時にも駆動させることができるため、電波受信中もユーザが時刻等を確認することができるという効果を奏する。
【発明を実施するための最良の形態】
【００１５】
以下、図面を参照して、本発明の好適な実施形態について説明する。なお、以下では、本発明に係る電波受信装置が腕時計型の電波時計である場合を例として説明するが、本発明を適用可能な実施形態がこれに限定されるものではない。
【００１６】
［第１の実施形態］
先ず、図１から図８を参照しつつ、本実施形態に係る電波腕時計の第１の実施形態について説明する。
【００１７】
図１は、本実施形態における電波腕時計１００の正面図であり、図２は、図１のII−II線断面図であり、図３は、図２において二点鎖線で囲まれた部分を拡大した拡大図である。
電波腕時計１００は、標準電波を受信するアンテナ構造体３０（図２等参照）を備え、このアンテナ構造体３０により受信した標準電波を増幅変調してタイムコードを解読することにより現在時刻を修正する電波腕時計である。
【００１８】
第１の実施形態における電波腕時計１００は、内部に図示しない時計モジュールを構成する各部品を収納するモジュールハウジング（図２参照。以下単に「ハウジング」と称する。）３と、ハウジング３が収納された装置本体ケース２とを備えている。
【００１９】
機器ケースとしての装置本体ケース２は、ステンレスやチタン等の強度の強い金属によって、上下面に開口した平面視ほぼ円環状に形成されている。この装置本体ケース２の視認側（図２において上側）には、視認側の開口部を閉塞するように非導電性の材料であるガラスで形成された非導電性カバー部材としての風防ガラス４が、パッキン５を介して装着されている。
また、装置本体ケース２の裏面側（視認側に対向する側、図２において下側）には、裏面側の開口部を閉塞するように、防水リング６を介して裏蓋７が取り付けられている。
さらに、装置本体ケース２の上面には、枠状のベゼル部材８が接着剤や両面テープ等の接着部材９を介して装着されている。
【００２０】
また、装置本体ケース２の図１における上下両端部には、バンド取付部１０（図２参照）が設けられており、このバンド取付部１０には、電波腕時計１００をユーザの腕に装着するための上部時計バンド１１ａ、下部時計バンド１１ｂがそれぞれ取り付けられている。また、装置本体ケース２の外周部には、時刻合わせの指示やバックライトの点灯等の種々の操作指示が入力される複数の操作ボタンｆ１が設けられている。
なお、以下電波腕時計１００において、上部時計バンド１１ａが設けられている側を「腕時計上部」、下部時計バンド１１ｂが設けられている側を「腕時計下部」とする。
【００２１】
図２に示すように、装置本体ケース２内であって風防ガラス４の下側には、電子部品収納部材としてのハウジング３が配置されており、風防ガラス４とハウジング３との間には、デジタル表示機能を備える表示部材としての液晶表示パネル１５が配置されている。
液晶表示パネル１５の裏面（視認側とは反対側の面）には、液晶表示パネル１５を照明するバックライトとして、ＥＬ（エレクトロルミネッセンス）素子を有するＥＬパネル１６が設けられている。なお、バックライトはＥＬ素子を有するものに限定されない。
また、図２に示すように、風防ガラス４と液晶表示パネル１５との間には、液晶表示パネル１５とほぼ同様の大きさに形成された薄板状のソーラーパネル１７が配置されている。
【００２２】
ハウジング３は、例えば樹脂等で形成されており、ハウジング３には、各種の電子部品（図示せず）が実装されたＰＷＢ（プリント配線板  Printed Wiring Board）等の回路基板１８が収納されている。この回路基板１８と液晶表示パネル１５とは、インターコネクタ１９を介して接続されている。
【００２３】
インターコネクタ１９は、例えば、液晶表示パネル１５の腕時計上部側の端部及び腕時計下部側の端部に接続されるように配設されており、液晶表示パネル１５に設けられている表示駆動用の導電端子部（図示せず）と回路基板１８とを電気的に接続するものである。
【００２４】
電波腕時計１００は、各種機能を実現させる時計計時部２０（図７参照）を備えており、回路基板１８の上には、この時計計時部を構成するＣＰＵ（Central Processing Unit）２０１（図７参照）、ＲＡＭ（Random Access Memory）２０２（図７参照）、ＲＯＭ（Read Only Memory）２０３（図７参照）、計時回路部２０５（図７参照）、発振回路部２０６（図７参照）、表示駆動回路部２０７，２０８（図７参照）等が実装されている。
【００２５】
また、ハウジング３には、電波腕時計１００が各種動作を行うための電源としての電池２２が組み込まれている。ハウジング３には、電池２２に対応する位置に凹部１８１が形成されており、電池２２は、この凹部１８１に嵌め込まれて支持されている。
【００２６】
ここで、本実施形態における液晶表示パネル１５について説明する。
図３に示すように、液晶表示パネル１５は、電波腕時計１００に実装した際に視認側に配置される上部ガラス基板１５１と、視認側とは反対側に配置される下部ガラス基板１５２と、上部ガラス基板１５１の上側に配置される上部偏光板１５３と、下部ガラス基板１５２の下側に配置される下部偏光板１５４とを備えた４層の積層構造となっている。上部ガラス基板１５１と下部ガラス基板１５２との間には、図示しない液晶表示素子が封入されている。
【００２７】
図６は、ハウジングに液晶表示パネルが配置された状態を示したものである。図４から図６において、二点鎖線で示した部分は、液晶表示パネル１５のうち、表示画面として機能する表示可能領域１５０である。
本実施形態では、図４から図６に示すように、液晶表示パネルの表示可能領域は、第１の表示領域１５ａと第２の表示領域１５ｂとに分割されている。第１の表示領域１５ａには、例えば現在の曜日等、時計そのものの機能としては比較的重要性の低い内容が表示される。なお、ここに表示されるものは曜日に限定されず、秒表示や年月日表示等であってもよい。第２の表示領域１５ｂには、例えば、現在時刻が表示される。なお、ここに表示されるものは現在時刻に限定されず、年月日表示や秒表示等が併せて表示されてもよい。
なお、本実施形態では、液晶表示パネル１５の腕時計上部側を第１の表示領域１５ａとし、腕時計下部側を第２の表示領域１５ｂとしたが、第１の表示領域１５ａ及び第２の表示領域１５ｂをどのような範囲とするかは、ここに例示したものに限定されない。
【００２８】
本実施形態においては、後述するように、第１の表示領域１５ａ及び第２の表示領域１５ｂの表示駆動のＯＮ／ＯＦＦを個別に制御可能となっており、第１の表示領域１５ａのみ、その表示駆動を停止させることができるようになっている。
【００２９】
図６に示すように、液晶表示パネル１５の第１の表示領域１５ａの下部位置には、アンテナケース３１に収納されたアンテナ構造体３０が配設されている。アンテナ構造体３０は、両面テープ等の固定部材３２（図３参照）によってアンテナケース３１の内部に固定されている。回路基板には、アンテナ構造体３０に対応する位置にアンテナケース３１の外周よりも僅かに大きい寸法の貫通孔１８２が形成されており、アンテナケース３１は、この貫通孔１８２に嵌め込まれて支持されている。
【００３０】
図３に示すように、アンテナ構造体３０は、コア３３と、このコア３３にコイル３４を巻回した巻線部３５とから構成されている。
コア３３は、アモルファス金属等の比透磁率が高く、導電率が小さい磁性材料からなる複数の板状部材を積層して形成されている。板状部材としては、アモルファス合金、Fe-Cu-Nb-Si-B系等のナノ結晶磁性合金、Fe-Si系磁性合金等の軟磁性金属箔帯を板厚20μｍ以下に薄く形成して用いているが、これに限られない。例えばコアはフェライト等により一体形成されていてもよい。
また、コイル３４の両端部は、アンテナケース３１から外に引き出されて、回路基板上のコイル用端子部１８３に接続され、半田付け等により固定されている。なお、コイル３４は直接コイル用端子部１８３に接続される場合に限定されず、リード端子等を介して接続されていてもよい。
【００３１】
回路基板１８と液晶表示パネル１５との間には、回路基板１８と液晶表示パネル１５との距離を一定に保つためのスペーサ２３が設けられている。スペーサ２３は、回路基板１８上に配置されている図示しない電子部品やアンテナ構造体３０が液晶表示パネル１５に直接接触して破損するのを防止する機能を果たすとともに、インターコネクタ１９を支持し所定の位置に導くガイドとしても機能するものである。
【００３２】
次に、図７を参照しつつ、本実施形態における時計計時部２０の機能的構成について説明する。
時計計時部２０は、例えば、図１０に示すように、入力部２００、ＣＰＵ（Central Processing Unit）２０１、ＲＯＭ（Read Only Memory）２０２、ＲＡＭ（Random Access Memory）２０３、受信制御回路部２０４、計時回路部２０５、発振回路部２０６、表示駆動回路部２０７,２０８等を備えて構成されている。
【００３３】
入力部２００は、電波腕時計１００の各種機能の実行を指示するための操作ボタンｆ１を含み、ユーザによりこの操作ボタンｆ１が操作されると、これに基づいて、対応する操作信号をＣＰＵ２０１に対して出力するようになっている。
【００３４】
ＣＰＵ２０１は、例えば、所定のタイミング或いは入力部２００から入力された操作信号等に応じて、ＲＯＭ２０２に格納されている各種プログラムを読み出してＲＡＭ２０３の作業領域に展開し、当該プログラムに従って電波腕時計１００を構成する各部への指示やデータの転送等の各種処理を実行するものである。
具体的には、ＣＰＵ２０１は、例えば、所定時間毎に受信制御回路部２０４を制御して標準電波の受信を行わせ、この受信信号及び発振器を備える発振回路部２０６から出力される信号に基づき、計時回路部２０５で計数される現在時刻データを修正する処理や、修正された現在時刻データに基づく表示信号等を表示駆動回路部２０７に出力して現在時刻等を表示させる処理等の各種制御を行うようになっている。
【００３５】
ＲＯＭ２０２は、読み出し専用のメモリであり、電波腕時計１００の種々の機能を実現させるためのシステムプログラムや各種アプリケーションプログラム、各種データ等を記憶するものである。
ＲＡＭ２０３は、例えば、揮発性の半導体メモリであり、ＣＰＵ２０１により実行される各種プログラムや、これらのプログラムの実行に係るデータ等を一時的に保持するためのメモリ領域を備え、ＣＰＵ２０１の作業領域として用いられる。
【００３６】
受信制御回路部２０４は、アンテナ構造体３０で受信された受信信号から不要な周波数成分を取り除いて所定の周波数信号を取り出し、この周波数信号を対応する電気信号に変換してＣＰＵに出力する。
【００３７】
発振回路部２０６は、常時一定周波数のクロック信号を出力する回路であり、計時回路部２０５には、計時回路部２０５は、発振回路部２０６から入力される信号を計数して、現在時刻データ等を取得するものである。計時回路部２０５は、取得した現在時刻データをＣＰＵ１０１に対して出力するようになっている。
【００３８】
第１の表示駆動回路部２０７及び第２の表示駆動回路部２０８は、例えば、ＣＰＵ２０１から出力され入力されたデータや制御信号等に基づいて液晶表示パネル１５の駆動を制御して、この液晶表示パネル１５に各種情報を表示させる表示処理を行うものであり、ＣＰＵ２０１とともに表示制御部として機能する。
【００３９】
本実施形態においては、ＣＰＵ２０１は第１の表示駆動回路部２０７及び第２の表示駆動回路部２０８を制御することにより、第１の表示領域、第２の表示領域の表示駆動をそれぞれ個別に制御可能となっている。
具体的には、ＣＰＵ２０１は、アンテナ構造体３０による電波受信を行っているか否かを判断し、電波受信モードに入ったと判断すると、第１の表示駆動回路部２０７を制御して第１の表示領域の表示駆動を停止させるようになっている。
【００４０】
ＣＰＵ２０１による電波受信を行っているか否かの判断は、例えば所定の時刻に電波受信モードに入るよう設定がなされている場合には、現在時刻と設定時刻とを対照させることにより行われる。なお、電波受信モードに入る時刻の設定は、予め午前２時等、比較的時計を使用する頻度の少ない時間がデフォルトで定められていてもよいし、ユーザが事後的に任意の時刻を設定できるようになっていてもよい。また、ユーザが操作ボタンｆ１を操作することにより、任意の時点で強制的に電波受信を行う場合には、ＣＰＵ２０１は、当該ボタン操作が行われたか否かによって電波受信モードに入ったか否かを判断する。
【００４１】
次に、本実施形態の作用について説明する。
【００４２】
アンテナ構造体３０のコイル３４の端部を回路基板１８上のコイル用端子部１８３と接続し半田付け等により固定した上で、回路基板１８等をハウジング３内部に収納する。ハウジング３内に、スペーサ２３を配置するとともに、回路基板１８にインターコネクタ１９を接続する。さらに、液晶表示パネル１５を、その視認側が上になるようにしてスペーサ２３の上に配置し、液晶表示パネル１５に形成されている表示駆動用の導電端子部とインターコネクタ１９とを接続する。このとき、アンテナ構造体３０が液晶表示パネル１５の第１の表示領域１５ａの下部位置にくるように配置する。さらに、ハウジング３、回路基板１８、液晶表示パネル１５等、装置本体ケース２内に収納される各部品を、風防ガラス４が嵌め込まれた装置本体ケース２に収納し、裏面側から裏蓋７を取り付ける。
【００４３】
図８に示すように、本実施形態において、ＣＰＵ２０１は、アンテナ構造体が電波受信モードに入っているか否か（電波受信モードＯＮか）を判断しており（ステップＳ１）、電波受信モードでない場合（ステップＳ１；ＮＯ）には、電波受信モードに入っているか否かをさらに判断する。なお、電波受信モードでない場合には、ＣＰＵ２０１は、第１の表示領域１５ａ、第２の表示領域１５ｂをともに表示駆動させるように第１の表示駆動回路部２０７及び第２の表示駆動回路部２０８を制御する。
【００４４】
電波受信モードに入っている場合（ステップＳ１；ＹＥＳ）には、ＣＰＵ２０１は、アンテナ構造体が対向配置されている領域である第１の表示領域１５ａの表示駆動を停止させ、第２の表示領域１５ｂについては表示駆動させるように第１の表示駆動回路部２０７及び第２の表示駆動回路部２０８を制御する（ステップＳ２）。第１の表示領域１５ａの表示駆動を停止すると、ＣＰＵ２０１は、受信制御回路部２０４を制御してアンテナ構造体３０による電波受信を開始させる（ステップＳ３）。
【００４５】
ＣＰＵ２０１は、電波受信が成功したか否かを常に判断し（ステップＳ４）、電波受信が成功しないとき（ステップＳ４；ＮＯ）は、受信動作を繰り返すように受信制御回路部２０４を制御するとともに、第１の表示駆動回路部２０７を制御して第１の表示領域１５ａの表示駆動を停止状態のままとする。電波受信が成功したとき（ステップＳ４；ＹＥＳ）は、ＣＰＵ２０１は、受信動作を終了するように受信制御回路部２０４を制御するとともに、第１の表示駆動回路部２０７を制御して第１の表示領域１５ａの表示駆動を再開させる（ステップＳ５）。なお、電波受信が成功したか否かについてのＣＰＵ２０１の判断は、例えば、正常と判断される所定の電波を受信したか否かを判断することによってもよいし、所定回数（例えば３回程度）の受信動作を完了ときは電波受信が成功したと判断してもよい。
【００４６】
電波受信時には、アンテナ構造体３０のコア３３により標準電波の磁束を集め、集めた標準電波の磁束が、コア３３中を通過することとなって、その磁束の通過によってコイル３４に誘導起電力が生じる。この誘導起電力を検出することにより標準電波を受信する。標準電波を受信すると、受信された電波がコイル用端子部１８３を介して回路基板１８上の受信制御回路部２０４に送られ、この電波に基づいて時刻情報が取得され、電波腕時計１００の現在時刻データが修正される。
【００４７】
以上のように、本実施形態によれば、アンテナ構造体３０による電波受信時には、アンテナ構造体３０と対向する表示領域である第１の表示領域１５ａの表示駆動を停止させるので、電波受信時に液晶表示パネル１５の表示駆動によるノイズの影響を受けることがなく、複雑な信号処理等を施さなくても正常な電波受信を行うことができる。
【００４８】
また、電波受信時にも、現在時刻等を表示する第２の表示領域は表示駆動を続けているので、電波受信時に時刻を確認できない等のユーザの不都合をなくすことができるとの効果を奏する。
【００４９】
また、装置本体ケースぎりぎりまで液晶表示パネル１５を設けてできるだけ表示画面を大きく確保しようとした場合でも、アンテナ構造体３０は、液晶表示パネル１５の表示可能領域１５０内に配置されているので、アンテナ構造体３０によって装置全体が大型化することがない。
【００５０】
また、回路基板１８に貫通孔１８２を形成し、この貫通孔１８２にアンテナ構造体３０を収納配置するので、回路基板１８の上にアンテナ構造体３０を配置する場合と比べて装置全体の薄型化を図ることができる。
【００５１】
さらに、回路基板１８と液晶表示パネル１５との間にスペーサ２３が配置されているため、回路基板１８上に配置される各種電子部品やアンテナ構造体等３０が液晶表示パネル１５に接触して破損する等を防止することができる。
【００５２】
なお、本実施形態においては、回路基板１８に貫通孔１８２を形成し、この貫通孔１８２にアンテナ構造体３０を収納配置する構成としたが、例えば、回路基板１８の一部に切り欠き部を設けて、この切り欠き部にアンテナ構造体３０を嵌め込むように構成してもよい。この場合にも貫通孔１８２を形成した場合と同様に装置全体の薄型化を図ることができる。
【００５３】
なお、この他、本発明が上記実施の形態に限らず適宜変更可能であるのは勿論である。
【００５４】
［第２の実施形態］
次に、図９を参照しつつ、本発明に係る電波受信装置の第２の実施形態について説明する。なお、第２の実施形態は、アンテナ構造体の設置位置が第１の実施形態と異なるものであるため、以下においては、特に第１の実施形態と異なる部分について説明する。
【００５５】
本実施形態において、電波受信装置は第１の実施形態と同様に、表示部材としての液晶表示パネルを備える電波腕時計である。
【００５６】
図９は、本実施形態における液晶表示パネル５０を裏面側（液晶表示パネルを電波腕時計に組み込んだ際に視認側とは反対となる側）から見た図である。
【００５７】
液晶表示パネル５０は、第１の実施形態と同様に電波腕時計に実装した際に視認側に配置される上部ガラス基板５１と、視認側とは反対側に配置される下部ガラス基板５２と、上部ガラス基板５１の上側に配置される上部偏光板（図示せず）と、下部ガラス基板５２の下側に配置される下部偏光板５４とを備えた４層の積層構造となっている。上部ガラス基板５１と下部ガラス基板５２との間には、図示しない液晶表示素子が封入されている。
本実施形態において、液晶表示パネル５０は、第１の実施形態と同様に第１の表示領域５０ａと第２の表示領域５０ｂとに分割されており、それぞれを個別に制御可能となっている。
【００５８】
本実施形態において、上部ガラス基板５１の一端であって液晶表示パネル５０を電波腕時計に実装した際に腕時計上部に位置する側及び腕時計下部に位置する側は、下部ガラス基板５２や上部偏光板、下部偏光板５４よりも僅かに外側に延設された上部延設部５５及び下部延設部５６となっている。
【００５９】
上部延設部５５の裏面（視認側とは反対側の面）には、下部ガラス基板５２との境界に沿って、一対のコイル用の導電端子部５７が形成されており、下部延設部５６の裏面には、下部ガラス基板５２との境界に沿って、液晶表示パネル５０の表示駆動用の導電端子部５８が形成されている。なお、コイル用の導電端子部５７及び表示駆動用の導電端子部５８の配置等はここに例示したものに限定されない。
【００６０】
液晶表示パネル５０の裏面側であって、第１の表示領域５０ａに対応する部分には、アンテナケース６１に収納され、コア６３と、このコア６３にコイル（図示せず）を巻回した巻線部６５とから構成されたアンテナ構造体６０が設けられている。アンテナ構造体６０は、図示しない両面テープ等の固定部材（図示せず）によって下部偏光板５４の上に固定されている。
【００６１】
アンテナ構造体６０のコイルの両端部は、アンテナケース６１に設けられた接続用凸部６６に係止されており、各接続用凸部６６には、リードフレーム６７が、その一端部に設けられた係合孔（図示せず）に接続用凸部６６を係合することにより接続されている。リードフレーム６７の他端側はリード端子６９の一端側と接続されている。そして、リード端子６９の他端側は、半田付け等によりコイル用の導電端子部５７と接続されている。
【００６２】
電波腕時計は、第１の実施形態と同様の図示しない時計計時部を備えており、アンテナ構造体６０による電波受信時には、第１の表示領域５０ａの表示駆動を停止させるようになっている。
【００６３】
なお、その他の構成は、第１の実施形態で説明したものと同様であることから、その説明を省略する。
【００６４】
次に、本実施形態の作用について説明する。
【００６５】
アンテナ構造体６０を液晶表示パネル５０の下部偏光板５４の上に配置し、両面テープ等の図示しない固定部材によって固定する。アンテナ構造体６０のコイルの端部をリードフレーム６７を介してリード端子６９と接続し、リード端子６９を液晶表示パネル５０の上部延設部５５に設けられているコイル用の導電端子部５７に接続して、半田付けにより固定する。また、表示駆動用の導電端子部５８に表示駆動用の信号線５９を接続して、それぞれ半田付けにより固定する。
【００６６】
ハウジングに電子部品、回路基板等を収納し、スペーサを配置する。さらに回路基板にインターコネクタを接続する。アンテナ構造体６０等が接続された液晶表示パネル５０を、その視認側が上になるようにして回路基板の上に配置し、コイル用の導電端子部５７及び表示駆動用の導電端子部５８とインターコネクタを接続する。これにより、アンテナ構造体６０及び液晶表示パネル５０は回路基板と電気的に接続される。
【００６７】
本実施形態において、アンテナ構造体６０が電波受信モードに入っているか否かが常に判断され、電波受信モードでない場合には、電波受信モードに入っているか否かがさらに判断される。電波受信モードでない場合には、第１の表示領域５０ａ、第２の表示領域５０ｂをともに表示駆動させるように制御する。また、電波受信モードに入っている場合には、アンテナ構造体が対向配置されている領域である第１の表示領域５０ａの表示駆動を停止させ、第２の表示領域５０ｂについては表示駆動させるように制御が行われる。第１の表示領域５０ａの表示駆動が停止すると、アンテナ構造体３０による電波受信が行われ、電波受信が成功すると、第１の表示領域５０ａの表示駆動を再開させる。
【００６８】
電波受信時には、アンテナ構造体６０のコア６３により標準電波の磁束を集め、集めた標準電波の磁束が、コア６３中を通過することとなって、その磁束の通過によってコイルに誘導起電力が生じる。この誘導起電力を検出することにより標準電波を受信する。標準電波を受信すると、受信された電波がコイル用の導電端子部５７を介して回路基板上の受信制御回路部に送られ、この電波に基づいて時刻情報が取得され、電波腕時計の現在時刻データが修正される。
【００６９】
以上のように、本実施形態によれば、アンテナ構造体３０による電波受信時には、アンテナ構造体３０と対向する表示領域である第１の表示領域５０ａの表示駆動を停止させるので、電波受信時に液晶表示パネル５０の表示駆動によるノイズの影響を受けることがなく、複雑な信号処理等を施さなくても正常な電波受信を行うことができる。
【００７０】
また、本実施形態では、アンテナ構造体６０を液晶表示パネル５０の下部に取り付け、そのコイルの端部を液晶表示パネル５０の上に形成された導電端子部５７に接続するので、製造工程において、コイル用の導電端子部と表示駆動用の導電端子部５８とを同時に形成することができ、製造コストを抑えることができるとともに、配線等も容易に行うことができる。
【００７１】
なお、上記各実施形態においては、電波受信時に、アンテナ構造体が対向配置されている第１の表示領域のみについて表示駆動を停止させるようにしたが、電波受信時には、第１の表示領域及び第２の表示領域の双方の表示駆動を停止させるように制御してもよい。
このようにした場合には、さらに確実に液晶表示パネルから生じるノイズに影響を除去することができる。
【００７２】
また、例えば、受信の時間帯に応じて、第１の表示領域の表示駆動のみを停止させるか、第１の表示領域及び第２の表示領域の双方の表示駆動を停止させるかを選択できるようにしてもよい。例えば、午前２時等、ユーザが時刻を確認する必要性が比較的低く、電波受信モードとなることが予め設定されている時間帯の場合には、第１の表示領域及び第２の表示領域の双方の表示駆動を停止させてより確実な電波受信を行い、ユーザが任意の時刻にボタン操作を行うことにより強制的に電波受信モードとなった場合には、第１の表示領域の表示駆動のみを停止させ、電波受信中の時刻の確認が可能とすることが考えられる。
【００７３】
また、上記、各実施形態において、さらに、アンテナ構造体のコアの両端部近傍に、電波の磁束を集める集磁シート等の集磁部材を配置する構成としてもよい。集磁部材は、例えばコアの両端部に対応して一対設けられ、その端部がコアの端部と磁気的に接触するようにすることが好ましい。
【００７４】
また、上記各実施形態では、液晶表示パネルを照明するバックライトとして、ＥＬ素子を有するＥＬパネルを備えるものとしたが、ＥＬパネルは必須の構成要素ではなく、これを備えない構成とすることもできる。
【００７５】
また、上記各実施形態では、液晶表示パネル１５が多角形型に形成されている場合を例としたが、液晶表示パネルの形状はこれに限定されず、例えば円形等でもよい。
【００７６】
また、ハウジング等を形成する合成樹脂としては、例えば、エポキシ樹脂、フェノール樹脂、メラミン樹脂、ユリア樹脂、不飽和ポリエステル樹脂、ポリイミド樹脂、フラン樹脂、ポリブタジエン樹脂、アイオノマー樹脂、EEA 樹脂、AAS 樹脂（ASA 樹脂）、AS樹脂、ACS 樹脂、エチレン酢ビコポリマー、エチレンビニルアルコール共重合樹脂、ABS 樹脂、塩化ビニル樹脂、塩素化ポリエチレン樹脂、酢酸繊維素樹脂、フッ素樹脂、ポリアセタール樹脂、ポリアミド樹脂6,66、ポリアミド樹脂11,12 、ポリアリレート樹脂、熱可塑性ポリウレタンエラストマー、液晶ポリマー、ポリエーテルエーテルケトン、ポリサルフォン樹脂、ポリエーテルサルフォン樹脂、高密度ポリエチレン、低密度ポリエチレン、直鎖状低密度ポリエチレン、ポリエチレンテレフタレート、ポリカーボネート樹脂、ポリスチレン樹脂、ポリフェニレンエーテル樹脂、ポリフェニレンサルファイド樹脂、ポリブタジエン樹脂、ポリプロピレン樹脂、ポリプロピレン樹脂、メタクリル樹脂、メチルペンテンポリマー等の樹脂等を用いても良く、これらの中でも耐熱性、寸法安定性、強度等の点からフェノール樹脂、エポキシ樹脂等が好ましい。
【００７７】
また、上記実施形態では、電波受信装置として、電波腕時計を例示したが、これに限られるものではなく、アンテナ構造体により電波を受信する構成のものであれば如何なるものであってもよい。例えば、固定式の電波時計であってもよいし、小型ラジオ、携帯端末等であってもよい。
【図面の簡単な説明】
【００７８】
【図１】本発明に係る電波受信装置の好適な一例として例示する電波腕時計の一実施形態を示す正面図である。
【図２】図１の電波腕時計のII−II線断面図である。
【図３】図２の二点鎖線部分を拡大した拡大図。
【図４】液晶表示パネルの第１の表示領域及び第２の表示領域がともに表示駆動している状態を示した平面図である。
【図５】液晶表示パネルの第１の表示領域の表示駆動が停止している状態を示した平面図である。
【図６】液晶表示パネルにおけるアンテナ構造体の位置を示した平面図である。
【図７】第１の実施形態における時計計時部の構成を示すブロック図である。
【図８】第１の実施形態における液晶表示パネルの表示駆動処理を示したフローチャートである。
【図９】第２の実施形態における液晶表示パネルとアンテナ構造体の構成を示す平面図である。
【符号の説明】
【００７９】
２      装置本体ケース
３      ハウジング
４      風防ガラス
７      裏蓋
１１ａ  上部時計バンド
１１ｂ  下部時計バンド
１５    液晶表示パネル（表示部材）
１５ａ    第１の表示領域
１５ｂ    第２の表示領域
１６    ＥＬパネル
１７    ソーラーパネル
１８    回路基板
１９    インターコネクタ
２０    時計計時部
２２    電池
２３    スペーサ
３０    アンテナ構造体
３１    アンテナケース
３３    コア
３４    コイル
３５    巻線部
１００  電波腕時計
１５１  上部ガラス基板
１５２  下部ガラス基板
１５３  上部偏光板
１５４  下部偏光板
２０１  ＣＰＵ
２０４  受信制御回路部
２０５  計時回路部
２０６  発振回路部
２０７  第１の表示駆動回路部
２０８  第２の表示駆動回路部
【図１】
2009145210.tif 000003
【図２】
2009145210.tif 000004
【図３】
2009145210.tif 000005
【図４】
2009145210.tif 000006
【図５】
2009145210.tif 000007
【図６】
2009145210.tif 000008
【図７】
2009145210.tif 000009
【図８】
2009145210.tif 000010
【図９】
2009145210.tif 000011